(57)【要約】【課題】  デジタルカメラなどの画像情報取得装置の回路規模の増大やプログラム容量の増大を回避しつつ、画像情報取得装置と画像情報格納装置との間の通信を実現する。【解決手段】  画像情報格納装置は、プリンタとして振る舞って、画像情報取得装置との接続を確立する、第１接続確立手段と、接続された画像情報取得装置から、印刷シーケンスを用いて、印刷用の画像情報を受信する、画像情報受信手段と、前記画像情報受信手段で受信した画像情報を、画像情報記憶部に格納する、第１格納手段と、を備える。【選択図】  図１
2006217516.tif 000002
【特許請求の範囲】
【請求項１】
プリンタとして振る舞って、画像情報取得装置との接続を確立する、第１接続確立手段と、
接続された画像情報取得装置から、印刷シーケンスを用いて、印刷用の画像情報を受信する、画像情報受信手段と、
前記画像情報受信手段で受信した画像情報を、画像情報記憶部に格納する、第１格納手段と、
を備えることを特徴とする画像情報格納装置。
【請求項２】
接続された画像情報取得装置から、印刷シーケンスを用いて、印刷用の画像情報の印刷枚数の設定を受信し、これを取得する、印刷枚数取得手段と、
前記印刷枚数取得手段で取得した印刷枚数に基づいて、前記画像情報受信手段で受信した画像情報を格納すべき前記画像情報記憶部内のフォルダを決定する、フォルダ決定手段と、
をさらに備えるとともに、
前記第１格納手段は、前記フォルダ決定手段で決定した前記画像情報記憶部内のフォルダに、前記画像情報受信手段で受信した画像情報を格納する、
ことを特徴とする請求項１に記載の画像情報格納装置。
【請求項３】
接続された画像情報取得装置から、印刷シーケンスを用いて、印刷用の画像情報の印刷モードの設定を受信し、これを取得する、印刷モード取得手段と、
前記印刷モード取得手段で取得した印刷モードの設定に基づいて、前記画像情報受信手段で受信した画像情報を格納すべき前記画像情報記憶部内のフォルダを決定する、フォルダ決定手段と、
をさらに備えるとともに、
前記第１格納手段は、前記フォルダ決定手段で決定した前記画像情報記憶部内のフォルダに、前記画像情報受信手段で受信した画像情報を格納する、
ことを特徴とする請求項１に記載の画像情報格納装置。
【請求項４】
前記フォルダ決定手段は、印刷モードのうち、フチのあり／なし、及び／又は、日付のあり／なしの設定に基づいて、前記画像情報受信手段で受信した画像情報を格納すべき前記画像情報記憶部内のフォルダを決定する、ことを特徴とする請求項３に記載の画像情報格納装置。
【請求項５】
前記フォルダ決定手段は、印刷モードのうち、印刷する用紙の種類の指定に基づいて、前記画像情報受信手段で受信した画像情報を格納すべき前記画像情報記憶部内のフォルダを決定する、ことを特徴とする請求項３に記載の画像情報格納装置。
【請求項６】
接続された画像情報取得装置から、印刷設定の指示に関する情報を含んでいる印刷指示ファイルを受信する、印刷指示ファイル受信手段と、
前記印刷指示ファイル受信手段で受信した印刷指示ファイルを、印刷指示ファイル記憶部に格納する、第２格納手段と、
をさらに備えることを特徴とする請求項１に記載の画像情報格納装置。
【請求項７】
デジタルカメラとして振る舞って、プリンタとの接続を確立する、第２接続確立手段と、
前記印刷指示ファイル記録部から印刷指示ファイルを取得する、印刷指示ファイル取得手段と、
接続されたプリンタへ、印刷シーケンスを用いて、前記印刷指示ファイル取得手段で取得した印刷指示ファイルに基づいて、画像情報記憶部に格納されている印刷用の画像情報を送信する、画像情報送信手段と、
をさらに備えることを特徴とする請求項６に記載の画像情報格納装置。
【請求項８】
前記印刷指示ファイルはＤＰＯＦファイルである、ことを特徴とする請求項６又は請求項７に記載の画像情報格納装置。
【請求項９】
前記画像情報受信手段で受信される印刷用の画像情報は、ファイル形式である、ことを特徴とする請求項１乃至請求項８のいずれかに記載の画像情報格納装置。
【請求項１０】
前記画像情報取得装置と当該画像情報格納装置との間は、無線により接続される、ことを特徴とする請求項１乃至請求項９のいずれかに記載の画像情報格納装置。
【請求項１１】
プリンタとして振る舞って、画像情報取得装置との接続を確立するステップと、
接続された画像情報取得装置から、印刷シーケンスを用いて、印刷用の画像情報を受信するステップと、
前記受信した画像情報を、画像情報記憶部に格納するステップと、
を備えることを特徴とする画像情報格納装置の制御方法。
【請求項１２】
プリンタとして振る舞って、画像情報取得装置との接続を確立するステップと、
接続された画像情報取得装置から、印刷シーケンスを用いて、印刷用の画像情報を受信するステップと、
前記受信した画像情報を、画像情報記憶部に格納するステップと、
を画像情報格納装置に実行させるためのプログラム。
【請求項１３】
プリンタとして振る舞って、画像情報取得装置との接続を確立するステップと、
接続された画像情報取得装置から、印刷シーケンスを用いて、印刷用の画像情報を受信するステップと、
前記受信した画像情報を、画像情報記憶部に格納するステップと、
を画像情報格納装置に実行させるためのプログラムが記録された記録媒体。
【請求項１４】
画像情報取得装置と、この画像情報取得装置と接続される画像情報格納装置とを有する、画像情報通信システムであって、
前記画像情報取得装置は、
画像情報を取得する、画像情報取得手段と、
プリンタとして振る舞っている前記画像情報格納装置との接続を確立する、第１接続確立手段と、
接続された前記画像情報格納装置へ、印刷シーケンスを用いて、前記画像情報取得手段で取得した画像情報を、印刷用の画像情報として送信する、送信手段と、
を備え、
前記画像情報格納装置は、
プリンタとして振る舞って、前記画像情報取得装置との接続を確立する、第２接続確立手段と、
接続された前記画像情報取得装置から送信された印刷用の画像情報を、印刷シーケンスを用いて受信する、画像情報受信手段と、
前記画像情報受信手段で受信した画像情報を、画像情報記憶部に格納する、格納手段と、
を備えることを特徴とする画像情報通信システム。
【請求項１５】
画像情報取得装置と、この画像情報取得装置と接続される画像情報格納装置とを有する、画像情報通信システムの制御方法であって、
前記画像情報取得装置において、画像情報を取得するステップと、
前記画像情報取得装置と、プリンタとして振る舞っている前記画像情報格納装置との間の接続を確立するステップと、
前記画像情報取得装置から前記画像情報格納装置へ、印刷シーケンスを用いて、前記取得した画像情報を、印刷用の画像情報として送信するステップと、
前記画像情報取得装置から送信された印刷用の画像情報を、前記画像情報格納装置において、印刷シーケンスを用いて受信するステップと、
前記受信した画像情報を、前記画像情報格納装置の画像情報記憶部に格納するステップと、
を備えることを特徴とする画像情報通信システムの制御方法。
【請求項１６】
画像情報取得装置と、この画像情報取得装置と接続される画像情報格納装置とを有する、画像情報通信システムを制御するためのプログラムであって、
前記画像情報取得装置において、画像情報を取得するステップと、
前記画像情報取得装置と、プリンタとして振る舞っている前記画像情報格納装置との間の接続を確立するステップと、
前記画像情報取得装置から前記画像情報格納装置へ、印刷シーケンスを用いて、前記取得した画像情報を、印刷用の画像情報として送信するステップと、
前記画像情報取得装置から送信された印刷用の画像情報を、前記画像情報格納装置において、印刷シーケンスを用いて受信するステップと、
前記受信した画像情報を、前記画像情報格納装置の画像情報記憶部に格納するステップと、
を画像情報通信システムに実行させるためのプログラム。
【請求項１７】
画像情報取得装置と、この画像情報取得装置と接続される画像情報格納装置とを有する、画像情報通信システムを制御するためのプログラムが記録された記録媒体であって、
前記画像情報取得装置において、画像情報を取得するステップと、
前記画像情報取得装置と、プリンタとして振る舞っている前記画像情報格納装置との間の接続を確立するステップと、
前記画像情報取得装置から前記画像情報格納装置へ、印刷シーケンスを用いて、前記取得した画像情報を、印刷用の画像情報として送信するステップと、
前記画像情報取得装置から送信された印刷用の画像情報を、前記画像情報格納装置において、印刷シーケンスを用いて受信するステップと、
前記受信した画像情報を、前記画像情報格納装置の画像情報記憶部に格納するステップと、
を画像情報通信システムに実行させるためのプログラムが記録された記録媒体。
【発明の詳細な説明】
【技術分野】
【０００１】
本発明は、画像情報格納装置及び画像情報通信システムに関する。
【背景技術】
【０００２】
デジタルカメラは、フィルムや現像が不要であり、撮影した画像をその場で確認できることから、大変な勢いで普及している。
【０００３】
しかし、デジタルカメラが保持できる画像の枚数には、メモリの制約上、一定の制限がある。このため、ユーザは、デジタルカメラで、ある程度の枚数の画像を撮影した場合は、その画像ファイルを、フォトストレージやコンピュータなどの画像情報格納装置に転送する必要がある。
【０００４】
特開２００２−２４７４３１号公報（以下、特許文献１という）には、デジタルカメラから画像情報格納装置に画像ファイルを無線で転送する技術が開示されている。一方、特開２００３−２４６１１５号公報（以下、特許文献２という）には、デジタルカメラから画像ファイルを無線でプリンタに転送し、印刷を行う技術が開示されている。
【特許文献１】特開２００２−２４７４３１号公報
【特許文献２】特開２００３−２４６１１５号公報
【発明の開示】
【発明が解決しようとする課題】
【０００５】
特許文献１及び特許文献２で開示されている技術では、デジタルカメラに、ユーザインターフェースと無線接続機能の双方を実装する必要がある。すなわち、デジタルカメラのユーザインターフェースとしては、画像情報格納装置に画像ファイルを転送するための画面と、プリンタで画像ファイルを印刷するための画面との双方を、作り込む必要があった。
【０００６】
しかも、もし、デジタルカメラと画像情報格納装置との間の無線規格と、デジタルカメラとプリンタとの間の無線規格とが異なると、デジタルカメラは、双方に対応するハードウェアやソフトウェアが必要となり、回路規模の増大や、プログラム容量の増大を招くことになる。この結果、デジタルカメラの重量や体積が増加し、製造コストが上昇するといった問題が生じてしまう。
【０００７】
このような問題は、無線による通信に限られるものではなく、デジタルカメラとプリンタの間、及び、デジタルカメラと画像情報格納装置の間を有線により接続した場合でも、同様に生じ得る。
【０００８】
そこで本発明は、前記課題に鑑みてなされたものであり、デジタルカメラなどの画像情報取得装置の回路規模の増大やプログラム容量の増大を回避しつつ、画像情報取得装置と画像情報格納装置との間の通信を実現することを目的とする。
【課題を解決するための手段】
【０００９】
上記課題を解決するため、本発明に係る画像情報格納装置は、
プリンタとして振る舞って、画像情報取得装置との接続を確立する、第１接続確立手段と、
接続された画像情報取得装置から、印刷シーケンスを用いて、印刷用の画像情報を受信する、画像情報受信手段と、
前記画像情報受信手段で受信した画像情報を、画像情報記憶部に格納する、第１格納手段と、
を備えることを特徴とする。
【００１０】
この場合、画像情報格納装置は、
接続された画像情報取得装置から、印刷シーケンスを用いて、印刷用の画像情報の印刷枚数の設定を受信し、これを取得する、印刷枚数取得手段と、
前記印刷枚数取得手段で取得した印刷枚数に基づいて、前記画像情報受信手段で受信した画像情報を格納すべき前記画像情報記憶部内のフォルダを決定する、フォルダ決定手段と、
をさらに備えるとともに、
前記第１格納手段は、前記フォルダ決定手段で決定した前記画像情報記憶部内のフォルダに、前記画像情報受信手段で受信した画像情報を格納するようにしてもよい。
【００１１】
或いは、画像情報格納装置は、
接続された画像情報取得装置から、印刷シーケンスを用いて、印刷用の画像情報の印刷モードの設定を受信し、これを取得する、印刷モード取得手段と、
前記印刷モード取得手段で取得した印刷モードの設定に基づいて、前記画像情報受信手段で受信した画像情報を格納すべき前記画像情報記憶部内のフォルダを決定する、フォルダ決定手段と、
をさらに備えるとともに、
前記第１格納手段は、前記フォルダ決定手段で決定した前記画像情報記憶部内のフォルダに、前記画像情報受信手段で受信した画像情報を格納するようにしてもよい。
【００１２】
この場合、前記フォルダ決定手段は、印刷モードのうち、フチのあり／なし、及び／又は、日付のあり／なしの設定に基づいて、前記画像情報受信手段で受信した画像情報を格納すべき前記画像情報記憶部内のフォルダを決定するようにしてもよい。
【００１３】
或いは、前記フォルダ決定手段は、印刷モードのうち、印刷する用紙の種類の指定に基づいて、前記画像情報受信手段で受信した画像情報を格納すべき前記画像情報記憶部内のフォルダを決定するようにしてもよい。
【００１４】
また、画像情報格納装置は、
接続された画像情報取得装置から、印刷設定の指示に関する情報を含んでいる印刷指示ファイルを受信する、印刷指示ファイル受信手段と、
前記印刷指示ファイル受信手段で受信した印刷指示ファイルを、印刷指示ファイル記憶部に格納する、第２格納手段と、
をさらに備えるようにしてもよい。
【００１５】
この場合、画像情報格納装置は、
デジタルカメラとして振る舞って、プリンタとの接続を確立する、第２接続確立手段と、
前記印刷指示ファイル記録部から印刷指示ファイルを取得する、印刷指示ファイル取得手段と、
接続されたプリンタへ、印刷シーケンスを用いて、前記印刷指示ファイル取得手段で取得した印刷指示ファイルに基づいて、画像情報記憶部に格納されている印刷用の画像情報を送信する、画像情報送信手段と、
をさらに備えるようにしてもよい。
【００１６】
また、前記印刷指示ファイルはＤＰＯＦファイルであってもよい。
【００１７】
また、前記画像情報受信手段で受信される印刷用の画像情報は、ファイル形式であってもよい。
【００１８】
また、前記画像情報取得装置と当該画像情報格納装置との間は、無線により接続されるようにしてもよい。
【００１９】
本発明に係る画像情報格納装置の制御方法は、
プリンタとして振る舞って、画像情報取得装置との接続を確立するステップと、
接続された画像情報取得装置から、印刷シーケンスを用いて、印刷用の画像情報を受信するステップと、
前記受信した画像情報を、画像情報記憶部に格納するステップと、
を備えることを特徴とする。
【００２０】
本発明に係るプログラムは、
プリンタとして振る舞って、画像情報取得装置との接続を確立するステップと、
接続された画像情報取得装置から、印刷シーケンスを用いて、印刷用の画像情報を受信するステップと、
前記受信した画像情報を、画像情報記憶部に格納するステップと、
を画像情報格納装置に実行させることを特徴とする。
【００２１】
本発明に係る記録媒体は、
プリンタとして振る舞って、画像情報取得装置との接続を確立するステップと、
接続された画像情報取得装置から、印刷シーケンスを用いて、印刷用の画像情報を受信するステップと、
前記受信した画像情報を、画像情報記憶部に格納するステップと、
を画像情報格納装置に実行させるためのプログラムが記録されたことを特徴とする。
【００２２】
本発明に係る画像情報通信システムは、
画像情報取得装置と、この画像情報取得装置と接続される画像情報格納装置とを有する、画像情報通信システムであって、
前記画像情報取得装置は、
画像情報を取得する、画像情報取得手段と、
プリンタとして振る舞っている前記画像情報格納装置との接続を確立する、第１接続確立手段と、
接続された前記画像情報格納装置へ、印刷シーケンスを用いて、前記画像情報取得手段で取得した画像情報を、印刷用の画像情報として送信する、送信手段と、
を備え、
前記画像情報格納装置は、
プリンタとして振る舞って、前記画像情報取得装置との接続を確立する、第２接続確立手段と、
接続された前記画像情報取得装置から送信された印刷用の画像情報を、印刷シーケンスを用いて受信する、画像情報受信手段と、
前記画像情報受信手段で受信した画像情報を、画像情報記憶部に格納する、格納手段と、
を備えることを特徴とする。
【００２３】
本発明に係る画像情報通信システムの制御方法は、
画像情報取得装置と、この画像情報取得装置と接続される画像情報格納装置とを有する、画像情報通信システムの制御方法であって、
前記画像情報取得装置において、画像情報を取得するステップと、
前記画像情報取得装置と、プリンタとして振る舞っている前記画像情報格納装置との間の接続を確立するステップと、
前記画像情報取得装置から前記画像情報格納装置へ、印刷シーケンスを用いて、前記取得した画像情報を、印刷用の画像情報として送信するステップと、
前記画像情報取得装置から送信された印刷用の画像情報を、前記画像情報格納装置において、印刷シーケンスを用いて受信するステップと、
前記受信した画像情報を、前記画像情報格納装置の画像情報記憶部に格納するステップと、
を備えることを特徴とする。
【００２４】
本発明に係るプログラムは、
画像情報取得装置と、この画像情報取得装置と接続される画像情報格納装置とを有する、画像情報通信システムを制御するためのプログラムであって、
前記画像情報取得装置において、画像情報を取得するステップと、
前記画像情報取得装置と、プリンタとして振る舞っている前記画像情報格納装置との間の接続を確立するステップと、
前記画像情報取得装置から前記画像情報格納装置へ、印刷シーケンスを用いて、前記取得した画像情報を、印刷用の画像情報として送信するステップと、
前記画像情報取得装置から送信された印刷用の画像情報を、前記画像情報格納装置において、印刷シーケンスを用いて受信するステップと、
前記受信した画像情報を、前記画像情報格納装置の画像情報記憶部に格納するステップと、
を画像情報通信システムに実行させることを特徴とする。
【００２５】
本発明に係る記録媒体は、
画像情報取得装置と、この画像情報取得装置と接続される画像情報格納装置とを有する、画像情報通信システムを制御するためのプログラムが記録された記録媒体であって、
前記画像情報取得装置において、画像情報を取得するステップと、
前記画像情報取得装置と、プリンタとして振る舞っている前記画像情報格納装置との間の接続を確立するステップと、
前記画像情報取得装置から前記画像情報格納装置へ、印刷シーケンスを用いて、前記取得した画像情報を、印刷用の画像情報として送信するステップと、
前記画像情報取得装置から送信された印刷用の画像情報を、前記画像情報格納装置において、印刷シーケンスを用いて受信するステップと、
前記受信した画像情報を、前記画像情報格納装置の画像情報記憶部に格納するステップと、
を画像情報通信システムに実行させるためのプログラムが記録されたことを特徴とする。
【発明を実施するための最良の形態】
【００２６】
以下、図面を参照して、本発明の実施形態を説明する。なお、以下に説明する実施形態は、本発明の技術的範囲を限定するものではない。
【００２７】
〔第１実施形態〕
図１は、本実施形態に係る画像情報通信システムの全体構成と、この画像情報通信システムを構成するデジタルカメラ１０の内部構成と、画像情報格納装置２０の内部構成とを一例として説明するブロック図である。
【００２８】
デジタルカメラ１０は、本実施形態における画像情報取得装置の一例である。この画像取得装置は、デジタルカメラ以外のデジタルビデオカメラ、情報携帯端末、携帯電話などで構成することもできる。また、画像情報格納装置２０は、フォトストレージやコンピュータなどから構成することができる。ここでは、画像情報格納装置２０は、携帯用の小型のフォトストレージにより構成されているものとする。
【００２９】
図１に示すように、デジタルカメラ１０は、画像を撮像して光信号を生成するための光学系３０と、撮像した光信号を電気信号に変換する光電変換部３２と、その画像の電気信号をデジタル画像データである画像情報に変換する機能を有する画像処理部３４とを備えている。さらに、デジタルカメラ１０は、画像情報を画像ファイルとして記憶するメモリカードなどからなる画像記憶部３６と、この画像記憶部３６に対する画像ファイルの書き込みや読み出しを制御する画像記憶制御部３８とを備えている。
【００３０】
特に、本実施形態に係るデジタルカメラ１０は、少なくとも２つのＳＤカードスロットを備えている。そして、本実施形態においては、１つのＳＤカードスロットにメモリカードを挿入することにより、上述した画像記憶部３６が構成されている。但し、この画像記憶部３６は、デジタルカメラ１０の内蔵画像メモリにより構成されるようにしてもよい。
【００３１】
また、デジタルカメラ１０は、ユーザが操作可能なユーザインターフェース４０と、撮像した画像や記録した画像を表示する画像表示部４２とを備えている。本実施形態においては、この画像表示部４２は、例えばＬＣＤ（Liquid Crystal Display）により構成されており、デジタルカメラ１０をユーザが操作する際に必要な指示画面やメニュー画面なども表示する。
【００３２】
さらに、デジタルカメラ１０は、８０２．１１ｇなどの無線通信のプロトコルを制御する通信制御部４４と、無線通信のベースバンドの信号処理や高周波の信号処理を行う通信インターフェース４６とを備えている。上述したように、本実施形態においては、デジタルカメラ１０は、少なくとも２つのＳＤメモリカードスロットを備えているので、上述したメモリカードを挿入したＳＤカードスロットとは別のＳＤメモリカードスロットに無線ＬＡＮ対応のＳＤ  Ｉ／Ｏカードを挿入することにより、上述した通信制御部４４と通信インターフェース４６とが構成されている。なお、この無線規格は、無線ＬＡＮに限るものではなく、例えば、Bluetooth規格を用いることもできる。
【００３３】
さらに、デジタルカメラ１０は、デジタルカメラ１０の全体の制御をする機器制御部４８を備えている。本実施形態においては、上述した画像処理部３４と画像記憶制御部３８とユーザインターフェース４０と画像表示部４２と通信制御部４４と機器制御部４８は、内部バスを介して相互に接続されており、これら各部の全体的な制御を機器制御部４８が行う。
【００３４】
一方、このデジタルカメラ１０に接続される画像情報格納装置２０も同様に、８０２．１１ｇなどの無線通信のプロトコルを制御する通信制御部５０と、無線通信のベースバンドの信号処理や高周波の信号処理を行う通信インターフェース５２とを備えている。本実施形態では、デジタルカメラ１０と同様に、画像情報格納装置２０も、少なくとも２つのＳＤメモリカードスロットを備えており、ＳＤ  Ｉ／Ｏ規格に対応している。したがって、本実施形態においては、１つのＳＤメモリカードスロットに無線ＬＡＮ対応のＳＤ  Ｉ／Ｏカードを挿入することにより、上述した通信制御部５０と通信インターフェース５２とが構成される。
【００３５】
さらに、画像情報格納装置２０は、デジタルカメラ１０から送信された画像ファイルが記憶される画像記憶部５４を備えている。本実施形態においては、この画像記憶部５４は、大容量記憶装置の代表例であるハードディスクドライブにより構成されている。
【００３６】
また、画像情報格納装置２０は、画像記憶部５４から読み出された画像ファイルを記憶するメモリカードなどからなる外部記憶装置５６と、この外部記憶装置５６に対する画像ファイルの書き込みや読み出しを制御する外部記憶制御部５８とを備えている。本実施形態においては、上述した無線ＬＡＮ対応のＳＤ  Ｉ／Ｏカードを挿入したＳＤカードスロットとは別のＳＤカードスロットにメモリカードを挿入することにより、外部記憶装置５６が構成されている。このため、ユーザは、メモリカードに記録されている画像ファイルを、画像記憶部５４に格納することもできる。
【００３７】
また、画像情報格納装置２０は、ユーザが操作可能なユーザインターフェース６０と、画像記録部５４や外部記憶装置５６に記憶された画像を表示する画像表示部６２とを備えている。本実施形態においては、この画像表示部６２は、例えばＬＣＤ（Liquid Crystal Display）により構成されており、画像情報格納装置２０をユーザが操作する際に必要な指示画面やメニュー画面なども表示する。
【００３８】
さらに、画像情報格納装置２０は、画像情報格納装置２０の全体の制御をする機器制御部６４を備えている。本実施形態においては、上述した通信制御部５０と画像記憶部５４と外部記憶制御部５８とユーザインターフェース６０と画像表示部６２と機器制御部６４は、内部バスを介して相互に接続されており、これら各部の全体の制御を機器制御部６４が行う。
【００３９】
なお、この図１の例では、デジタルカメラ１０と画像情報格納装置２０との間を無線通信により接続することとしたが、有線による通信で接続するようにしてもよい。
【００４０】
図２は、デジタルカメラ１０で実行されるダイレクト印刷処理を説明するフローチャートを示す図である。このダイレクト印刷処理は、機器制御部４８が実行する処理である。また、このダイレクト印刷処理は、ユーザがデジタルカメラ１０にダイレクト印刷を指示した場合に起動される処理であり、通常の使い方においては、デジタルカメラ１０にプリンタを接続し、コンピュータを介在させずに印刷を行う場合に実行される処理であるが、本実施形態においては、これを画像ファイルの転送に用いるのである。
【００４１】
まず、このダイレクト印刷処理においては、デジタルカメラ１０は、接続可能なプリンタの一覧を画像表示部４２に表示する（ステップＳ１０）。具体的には、通信制御部４４と通信インターフェース４６とを介して、現在接続可能なプリンタを調査、検出する。そして、画像表示部４２は、例えば、図３に示すようなプリンタ一覧画面Ｗ１０として、接続可能なプリンタの一覧を表示する。
【００４２】
次に、デジタルカメラ１０は、ユーザに印刷をするプリンタを選択させる（ステップＳ１２）。具体的には、図３に示したプリンタ一覧画面Ｗ１０に表示されているプリンタの中から、ユーザに１つのプリンタを選択させる。この図３の例では、「プリンタ１」と「プリンタ３」は、通常のプリンタであるが、「プリンタ２」は、あたかもプリンタのように振る舞っている画像情報格納装置２０である。ここでは、ユーザが「プリンタ２」を選択したと仮定する。
【００４３】
次に、デジタルカメラ１０は、印刷すべき画像をユーザに選択させる（ステップＳ１４）。具体的には、デジタルカメラ１０は、画像表示部４２に、図４乃至図７に示したような画像選択画面Ｗ２０を表示する。図４に示すように、ユーザが「この画面を印刷」を選んだ場合には、この時、表示されている画像が選択される。図５に示すように、ユーザが「全画像を印刷」を選んだ場合には、そのフォルダに格納されている画像がすべて選択される。図６に示すように、ユーザが「選んで印刷」を選んだ場合には、その後に表示される画像一覧から、ユーザが任意の画像を選択することとなる。図７に示すように、ユーザが「アルバム印刷」を選んだ場合には、そのフォルダに格納されているすべての画像をアルバム印刷することを選択したこととなる。
【００４４】
次に、図２に示すように、デジタルカメラ１０は、ユーザに印刷枚数を設定させる（ステップＳ１６）。具体的には、デジタルカメラ１０は、画像表示部４２に、図８に示すような印刷枚数設定画面Ｗ３０を表示する。そして、ユーザは、この印刷枚数設定画面Ｗ３０を用いて、印刷枚数を設定する。この印刷枚数は、印刷するよう選択されたすべての画像について、個別に設定が可能である。
【００４５】
次に、図２に示すように、デジタルカメラ１０は、ユーザに印刷モードを設定させる（ステップＳ１８）。具体的には、デジタルカメラ１０は、画像表示部４２に、図９に示すような印刷モード設定画面Ｗ４０を表示する。ユーザは、この印刷モード設定画面Ｗ４０を用いて、印刷用紙の種類、フチのあり／なし、日付のあり／なし、画質などを設定する。
【００４６】
この印刷モードも、印刷するよう選択されたすべての画像について、個別に設定が可能である。
【００４７】
次に、図２に示すように、デジタルカメラ１０は、これまでのユーザ設定に基づいて、印刷指示ファイルを生成する（ステップＳ２０）。図１０は、このステップＳ２０で生成される印刷指示ファイルの一例を示す図である。この図１０の例では、印刷指示ファイルは、ＤＰＯＦ（Digital Print Order Format）形式により記述されており、様々な印刷設定の指示に関する情報を含んでいる。
【００４８】
次に、図２に示すように、デジタルカメラ１０は、印刷シーケンスを実行する（ステップＳ２２）。上述したように、ここでは印刷指示ファイルがＤＰＯＦ形式である場合を想定している。このＤＰＯＦ形式の印刷シーケンスでは、デジタルカメラ１０は、プリンタに対して（ここでは画像情報格納装置２０に対して）、リンクの確立を要求し、このリンクが確立した後に、ＤＰＯＦ印刷であるこを通知する。この通知では、印刷指示ファイルのファイル名とパスも通知する。これを受けて、画像情報格納装置２０では、デジタルカメラ１０に対して、印刷指示ファイルの取得を要求する。この要求を受けたデジタルカメラ１０は、印刷指示ファイルを画像情報格納装置２０に送信する。
【００４９】
詳しくは、図１１を用いて後述するが、この印刷指示ファイルを受信した画像情報格納装置２０は、この印刷指示ファイルを解析し、必要な画像ファイルをデジタルカメラ１０に要求する。この要求を受信したデジタルカメラ１０では、その画像ファイルを画像情報格納装置２０に送信する。そして、印刷指示ファイルに記述されている画像ファイルのすべてを画像情報格納装置２０が取得するまで、これらの要求と送信を繰り返す。この印刷シーケンスにおいては、本実施形態に係る画像情報格納装置２０は、あたかもプリンタのように振る舞う。このため、デジタルカメラ１０においては、通常のプリンタに対する印刷シーケンスを実行しているに過ぎない。
【００５０】
すべての画像ファイルの送信が完了した時点で、このダイレクト印刷処理は終了する。
【００５１】
次に、このステップＳ２２の印刷シーケンスの実行に対応して、画像情報格納装置２０で実行される画像ファイル保存処理について詳しく説明する。
【００５２】
図１１を用いて、本実施形態に係る画像情報格納装置２０が実行する画像ファイル保存処理について説明する。この画像ファイル保存処理は、上述したステップＳ２２の印刷シーケンスで、デジタルカメラ１０から接続の確立を要求された時点で起動する処理である。また、この画像ファイル保存処理は、機器制御部６４で実行される処理である。
【００５３】
図１１に示すように、画像情報格納装置２０は、プリンタとして振る舞って、デジタルカメラ１０とのリンクを確立する（ステップＳ２８）。本実施形態においては、このリンクの確立の際に、ＤＰＯＦ印刷であることが画像情報格納装置２０に通知される。
【００５４】
次に、画像情報格納装置２０は、デジタルカメラ１０に印刷指示ファイルの送信を要求し、これを取得する（ステップＳ３０）。続いて、画像情報格納装置２０は、印刷指示ファイルを解析し、保存すべき画像ファイルの送信をデジタルカメラ１０に要求し、これを取得する（ステップＳ３２）。次に、画像情報格納装置２０は、取得した画像ファイルを、画像記憶部５４に保存する（ステップＳ３４）。
【００５５】
図１２は、本実施形態に係る画像記憶部５４のディレクトリ構成の一例を示す図である。この図１２に示すように、本実施形態においては、ルートの下に、ホルダとして、「お気に入り」、「アルバム１」、「アルバム２」、「転送画像」が設けられている。そして、ステップ３４においては、取得した画像ファイルは、すべて、「転送画像」の下に格納することとしている。
【００５６】
次に、図１１に示すように、画像情報格納装置２０は、印刷指示ファイルを解析して、保存すべきすべての画像ファイルがまだ残っているかどうかを判断する（ステップＳ３６）。保存すべき画像ファイルが残っている場合（ステップＳ３６：ＹＥＳ）には、上述したステップＳ３２からを繰り返す。これらステップＳ３２からステップＳ３６までの処理は、デジタルカメラ１０からは、プリンタが印刷シーケンスを実行しているように見える。
【００５７】
一方、保存すべき画像ファイルが残っていない場合（ステップＳ３６：ＮＯ）には、すべての画像ファイルを取得して、保存し終えたことになるので、画像情報格納装置２０は、印刷指示ファイルにおける画像ファイルのパスを変更する（ステップＳ３８）。例えば、図１０の例では、画像ファイルのパスとして、例えば「IMG SRC = "../DCIM/101EPSON/EPSN0001.JPG"」と指定されているが、これを「IMG SRC = "EPSN0001.JPG"」と変更する。
【００５８】
次に、図１１に示すように、ステップＳ３８でパスを変更した印刷指示ファイルを保存する（ステップＳ４０）。本実施形態においては、この印刷指示ファイルもフォルダ「転送画像」に格納する。これにより、本実施形態に係る画像ファイル保存処理が終了する。
【００５９】
次に、この画像情報格納装置２０に保存された画像ファイルを印刷する際に実行される画像ファイル印刷処理について説明する。
【００６０】
図１３は、本実施形態に係る画像情報格納装置２０が実行する画像ファイル印刷処理を説明するフローチャートを示す図である。この画像ファイル印刷処理は、ユーザがユーザインターフェース６０を介して、画像情報格納装置２０に、フォルダ「転送画像」の下に格納されている画像ファイルの印刷を指示した場合に起動される処理である。また、この画像ファイル印刷処理は、機器制御部６４で実行される処理である。
【００６１】
この図１３に示すように、画像情報格納装置２０は、まず、デジタルカメラとして振る舞って、プリンタとの接続を確立する（ステップＳ５０）。図１４は、画像情報格納装置２０とプリンタ７０との接続関係を説明するためのブロック図である。この図１４に示すように、プリンタ７０は、通信インターフェース７２と、プリンタ本体部７４とを備えている。このため、画像情報格納装置２０とプリンタ７０との間の接続は、画像情報格納装置２０の通信インターフェース５２と、プリンタ７０の通信インターフェース７２との間で確立される。なお、この図１４の例では、画像情報格納装置２０とプリンタ７０との間を無線で接続しているが、有線により接続するようにしてもよい。
【００６２】
次に、図１３に示すように、画像情報格納装置２０は、画像記憶部５４から印刷指示ファイルを取得する（ステップＳ５２）。具体的には、上述したように印刷指示ファイルは、フォルダ「転送画像」の下に格納されているので、画像情報格納装置２０はこれを読み出す。
【００６３】
次に、画像情報格納装置２０は、印刷シーケンスを実行する（ステップＳ５４）。本実施形態では、上述したステップＳ２２と同様に、ＤＰＯＦ印刷の印刷シーケンスに則って、印刷を実行する。この印刷シーケンスにより、画像ファイルがプリンタ７０の通信インターフェース７２を介して、プリンタ本体部７４で受信され、印刷が実行される。また、この印刷シーケンスを実行している間、画像情報格納装置２０は、デジタルカメラとして振る舞うこととなる。したがって、プリンタ７０から見た場合には、通常の印刷のためのシーケンスにより、画像ファイルがデジタルカメラから送信されているように見える。このステップＳ５４が終了することにより、本実施形態に係る画像ファイル印刷処理が終了する。
【００６４】
以上のように、本実施形態に係る画像情報通信システムによれば、画像情報格納装置２０があたかもプリンタのように振る舞って、デジタルカメラ１０から画像情報格納装置２０に画像ファイルを転送するようにしたので、デジタルカメラ１０に画像ファイル転送専用のハードウェアやソフトウェアを組み込む必要がなくなる。このため、デジタルカメラ１０の開発工数を削減することができるとともに、デジタルカメラ１０の重量・体積の抑制を図ることができる。
【００６５】
しかも、本実施形態においては、無線通信により、デジタルカメラ１０から画像情報格納装置２０に画像ファイルを転送することとしたので、デジタルカメラ１０における画像ファイルを格納する領域である画像記憶部３６が満杯になっても、画像情報格納装置２０が無線通信可能な範囲内にあれば、ユーザは簡単に画像ファイルを転送することができる。このため、画像ファイル転送後に、画像記憶部３６に格納されている画像ファイルを削除して、デジタルカメラ１０による撮影を続けることができる。
【００６６】
さらに、画像情報格納装置２０では、デジタルカメラ１０から送信された印刷指示ファイルを格納しておき、後に、この印刷指示ファイルに基づいて印刷を実行できるようにしているので、ユーザは、転送した画像ファイルを簡単に印刷することができる。
【００６７】
〔第２実施形態〕
上述した第１実施形態では、デジタルカメラ１０から画像情報格納装置２０に転送された画像ファイルは、すべてフォルダ「転送画像」の下に格納されることにしたが、第２実施形態では、ユーザが設定した印刷枚数により、転送した画像ファイルが格納されるフォルダを変更するようにしたものである。すなわち、ユーザが印刷枚数を指定することにより、転送した画像ファイルが格納されるフォルダを指定することができるようにしたものである。以下、上述した第１実施形態と異なる部分のみを説明する。
【００６８】
図１５は、本実施形態に係る画像情報格納装置２０の画像記憶部５４におけるディレクトリ構成の一例を説明する図である。この図１５に示すように、本実施形態においては、フォルダ「転送画像」の下に、フォルダ「１」、「２」、「３」とフォルダ「印刷指示ファイル」が形成されている。フォルダ「１」、「２」、「３」は、それぞれ、画像ファイル転送の際に指定された印刷枚数に対応している。例えば、画像ファイル転送の際に、印刷枚数が２枚に設定されていれば、その画像ファイルはフォルダ「２」に格納されることを意味している。また、フォルダ「印刷指示ファイル」には、画像ファイル転送の際に送信された印刷指示ファイルが格納される。
【００６９】
本実施形態に係るダイレクト印刷処理は、上述した第１実施形態における図２と同様である。但し、ステップＳ１６における印刷枚数の設定では、上述したように、ユーザは、印刷枚数を設定することにより、格納されるフォルダを指定していることとなる。
【００７０】
図１６は、本実施形態に係る画像ファイル保存処理の内容を説明するフローチャートを示す図である。この図１６に示すように、ステップＳ３２までは上述した第１実施形態と同様である。そして、このステップＳ３２に続くステップＳ１００において、画像情報格納装置２０は、ステップＳ３２で取得した画像ファイルの印刷枚数を取得する（ステップＳ１００）。例えば、図１０に例示した印刷指示ファイルにおいては、最初の画像ファイルの印刷枚数は、「ＰＲＴ  ＱＴＹ＝００１」と指定されているので、印刷枚数＝１枚を取得する。なお、上述した第１実施形態で説明したように、ユーザは、画像ファイル毎に印刷枚数の設定が可能であるので、画像ファイル毎に、この印刷枚数を取得する必要がある。
【００７１】
次に、画像情報格納装置２０は、ステップＳ１００で取得した印刷枚数に対応するフォルダが、画像記憶部５４に存在するかどうかを判断する（ステップＳ１０２）。対応するフォルダが存在しない場合（ステップＳ１０２：ＮＯ）には、その印刷枚数に対応するフォルダを作成する（ステップＳ１０４）。
【００７２】
このステップＳ１０４の後、又は、ステップＳ１０２で対応するフォルダが存在すると判断した場合（ステップＳ１０２：ＹＥＳ）には、ステップＳ３２で取得した画像ファイルを、指定された印刷枚数に対応するフォルダに格納する（ステップＳ１０６）。上述の例では、印刷枚数が１枚であるので、フォルダ「１」に画像ファイルを格納する。
【００７３】
これ以降、ステップＳ３６、ステップＳ３８及びステップＳ４０の処理は上述した第１実施形態と同様であるが、ステップＳ３８で、画像指示ファイルにおける画像ファイルのパスを変更する際には、画像ファイル毎に格納されているフォルダが異なるので、これに合わせて、パスを変更する。
【００７４】
また、本実施形態においては、ステップＳ４０で印刷指示ファイルを保存する前に、印刷指示ファイルにおける各画像ファイルの印刷枚数を変更する（ステップＳ１０８）。すなわち、本実施形態においては、デジタルカメラ１０から送信された印刷指示ファイルにおける印刷枚数は、ユーザが印刷を希望する枚数ではない。このため、画像情報格納装置２０は、印刷指示ファイルにおける各画像ファイルの印刷枚数をすべて１に変更する。そして、変更後の印刷指示ファイルを、フォルダ「印刷指示ファイル」に格納するのである（ステップＳ４０）。
【００７５】
なお、変更する印刷枚数は２枚、３枚等、任意であり、ユーザが予め、画像情報格納装置２０に設定できるようにしておいてもよい。或いは、このステップＳ１０８の処理は、省いてもよい。その場合には、実際の印刷枚数により画像ファイルが格納されるフォルダが決まることとなる。
【００７６】
以上のように、本実施形態に係る画像情報通信システムによれば、ユーザは、印刷枚数を指定することにより、転送した画像ファイルが格納されるフォルダを指定することができる。このため、画像情報格納装置２０における画像ファイルの整理が容易になり、ユーザの利便性が向上する。
【００７７】
〔第３実施形態〕
上述した第１実施形態では、デジタルカメラ１０から画像情報格納装置２０に転送された画像ファイルは、すべてフォルダ「転送画像」の下に格納されることにしたが、第３実施形態では、ユーザが設定した印刷モードの設定により、転送した画像ファイルが格納されるフォルダを変更するようにしたものである。すなわち、ユーザが「フチのあり／なし」、「日付のあり／なし」を設定することにより、転送した画像ファイルが格納されるホルダを指定することができるようにしたものである。以下、上述した第１実施形態と異なる部分のみを説明する。
【００７８】
図１７は、本実施形態に係る画像情報格納装置２０の画像記憶部５４におけるディレクトリ構成の一例を説明する図である。この図１７に示すように、本実施形態においては、ルートの下に、フォルダ「お気に入り」、「アルバム１」、「アルバム２」、「アルバム３」、及び、「印刷指示ファイル」が形成されている。このフォルダ「お気に入り」、「アルバム１」、「アルバム２」、「アルバム３」は、それぞれ、画像ファイル転送の際に指定された印刷モードに対応している。例えば、画像ファイル転送の際に、「フチなし／日付なし」が選択されいれば、その画像ファイルはフォルダ「お気に入り」に格納されることとなり、「フチなし／日付あり」が選択されていれば、その画像ファイルはフォルダ「アルバム１」に格納されることとなり、「フチあり／日付なし」が選択されていれば、その画像ファイルはフォルダ「アルバム２」に格納されることとなり、「フチあり／日付あり」が選択されていれば、その画像ファイルはフォルダ「アルバム３」に格納されることになる。また、フォルダ「印刷指示ファイル」には、画像ファイル転送の際に送信された印刷指示ファイルが格納される。なお、第１実施形態で説明したように、このフチのあり／なし、日付のあり／なしは、画像ファイル毎に指定することが可能である。
【００７９】
図１０に示したＤＰＯＦ規格に基づいた印刷指示ファイルを用いて、フチのあり／なし、日付のあり／なしのコマンドの実例を説明する。ＤＰＯＦ規格においては、フチのあり／なしのコマンドは規定されていない。このため、ベンダーユニークなコマンドとして別途規定する必要がある。
【００８０】
この図１０の例では、「CFG BORDER = FREE」というコマンドで、フチのあり／なしを規定している。このコマンドが記載されていれば、フチなし印刷が実行され、このコマンドが記載されていなければ、フチあり印刷が実行される。
【００８１】
また、ＤＰＯＦ規格においては、ベンダーユニークなコマンドは、ベンダーユニークなコマンドの始まりを示す「VUQ RGN = BGN」と、ベンダーユニークなコマンドの終わりを示す「VUQ RGN = END」との間に記述しなければならない規則になっている。また、ベンダーユニークなコマンドの前には、そのベンダー名と処理の内容を特定するコマンドを記載しなければならない規則になっている。このため、本実施形態においては、「VUQ VNM = "EPSON" -ATR "Border Control"」というコマンドを記載することとしている。
【００８２】
したがって、図１０の印刷指示ファイルの例では、１枚目の画像ファイル（PRT PID=001）と、２枚目の画像ファイル（PRT PID=002）が、フチなし印刷の指定となっており、３枚目の画像ファイル（PRT PID=003）と４枚目の画像ファイル（PRT PID=004）がフチあり印刷の指定となっている。
【００８３】
これに対して、日付のあり／なしのコマンドは、ＤＰＯＦ規格に規定されている。例えば、２枚目の画像ファイルにおける「CFG DSC = "2004.12.10" -ATR DTM」は、「２００４．１２．１０」という日付を印刷する指定となっており、４枚目の画像ファイルにおける「CFG DSC = "2004.12.11" -ATR DTM」は、「２００４．１２．１１」という日付を印刷する指定になっている。逆に、このコマンドの記載がない、１枚目と３枚目の画像ファイルは、日付を印刷しない指定になっている。
【００８４】
以上のことから分かるように、図１０の印刷指示ファイルにおいては、１枚目の画像ファイルは、「フチなし／日付なし」の設定になっており、２枚目の画像ファイルは、「フチなし／日付あり」の設定になっており、３枚目の画像ファイルは、「フチあり／日付なし」の設定になっており、４枚目の画像ファイルは、「フチあり／日付あり」の設定になっている。
【００８５】
なお、本実施形態に係るデジタルカメラ１０が実行するダイレクト印刷処理は、上述した第１実施形態における図２と同様である。但し、ステップＳ１８における印刷モードの設定では、図１８に示すような印刷モード設定画面Ｗ２００が、デジタルカメラ１０の画像表示部４２に表示される。
【００８６】
この印刷モード設定画面Ｗ２００が表示された場合、ユーザはユーザインターフェース４０を介して、「フチなし／日付なし」、「フチなし／日付あり」、「フチあり／日付なし」、及び、「フチあり／日付あり」の中から１つを選択する。この選択により、転送した画像ファイルが格納されるフォルダが、それぞれ、「お気に入り」、「アルバム１」、「アルバム２」、又は、「アルバム３」を指定したこととなる。
【００８７】
なお、Ｌ版／写真用紙などの用紙種類や、画質などは、この印刷モード設定画面Ｗ２００とは別の画面で設定するようにしておけばよい。また、この図１８に示したような専用の印刷モード設定画面Ｗ２００は、必ずしも設ける必要はない。その場合、例えば図９に示したような通常の印刷モード設定画面Ｗ４０が表示されるが、この印刷モード設定画面Ｗ４０におけるフチのあり／なし、及び、日付のあり／なしの設定は、転送した画像ファイルが格納されるフォルダを設定していることになるので、この対応関係をユーザが事前に把握しておく必要がある。
【００８８】
図１９は、本実施形態に係る画像ファイル保存処理の内容を説明するフローチャートを示す図である。この図１９に示すように、ステップＳ３２までは上述した第１実施形態と同様である。そして、このステップＳ３２に続くステップＳ２００において、画像情報格納装置２０は、ステップＳ３２で取得した画像ファイルの印刷モードの設定を取得する（ステップＳ２００）。すなわち、ステップＳ３０で取得した印刷指示ファイルを解析して、ステップＳ３２で取得した画像ファイルの印刷モードの設定を取得する。なお、上述したように、ユーザは、画像ファイル毎に印刷モードの設定が可能であるので、画像ファイル毎に、印刷モードの設定を取得する必要がある。
【００８９】
次に、画像情報格納装置２０は、ステップＳ３２で取得した画像ファイルを、指定された印刷モードに対応するフォルダに格納する（ステップＳ２０２）。本実施形態においては、上述したように、「フチなし／日付なし」が選択されいれば、画像ファイルをフォルダ「お気に入り」に保存し、「フチなし／日付あり」が選択されていれば、画像ファイルをフォルダ「アルバム１」に保存し、「フチあり／日付なし」が選択されていれば、画像ファイルをフォルダ「アルバム２」に保存し、「フチあり／日付あり」が選択されていれば、画像ファイルをフォルダ「アルバム３」に保存する。
【００９０】
これ以降、ステップＳ３６、ステップＳ３８及びステップＳ４０の処理は上述した第１実施形態と同様であるが、ステップＳ３８で、画像指示ファイルにおける画像ファイルのパスを変更する際には、画像ファイル毎に格納されているフォルダが異なるので、これに合わせて、パスを変更する。
【００９１】
また、本実施形態においては、ステップＳ４０で印刷指示ファイルを保存する前に、印刷指示ファイルにおける各画像ファイルの印刷モードの設定を変更する（ステップＳ２０４）。すなわち、本実施形態においては、デジタルカメラ１０から送信された印刷指示ファイルにおける印刷モードの設定のうち、フチのあり／なし、及び、日付のある／なしは、ユーザの希望と一致している訳ではない。このため、画像情報格納装置２０は、印刷指示ファイルにおけるこれらの設定をデフォルトに変更する。ここで、デフォルトは、ユーザが予め任意に定めておくことができる。すなわち、ユーザがデフォルトで指定している、フチのあり／なし、日付のあり／なしに基づいて、印刷指示ファイルにおける各画像ファイルの印刷モードの設定を変更する。そして、変更後の印刷指示ファイルを、フォルダ「印刷指示ファイル」に格納するのである。
【００９２】
なお、このステップＳ２０４の処理は、省いてもよい。その場合には、実際の印刷モードの設定により、画像ファイルが格納されるフォルダが決まることとなる。
【００９３】
以上のように、本実施形態に係る画像情報通信システムによれば、ユーザは、印刷モードを指定することにより、転送した画像ファイルが格納されるフォルダを指定することができる。このため、画像情報格納装置２０における画像ファイルの整理が容易になり、ユーザの利便性が向上する。
【００９４】
なお、本実施形態では、印刷モードの設定のうち、フチのある／なしと、日付のある／なしに基づいて、転送した画像ファイルが格納されるフォルダを指定することとしたが、印刷モードのうち、これ以外の設定を用いて、格納するホルダを指定するようにしてもよい。例えば、印刷する用紙の種類の指定に基づいて、画像ファイルを格納するフォルダを指定するようにしてもよい。
【００９５】
また、本実施形態においては、フチのある／なしと、日付のある／なしの双方に基づいて、転送した画像ファイルが格納されるフォルダを指定することとしたが、フチのある／なしだけに基づいて、この格納されるフォルダを指定するようにしてもよいし、日付のある／なしだけに基づいて、この格納されるフォルダを指定するようにしてもよい。
【００９６】
なお、本発明は上記実施形態に限定されず種々に変形可能である。例えば、上述した実施形態では、印刷指示ファイルを用いて、印刷枚数や印刷モードの設定を、デジタルカメラ１０から画像情報格納装置２０に送信することとしたが、必ずしもファイル形式で、これら印刷枚数や印刷モードの設定を送信する必要はない。例えば、印刷シーケンスの中で、単独の情報として、印刷枚数や印刷モードの設定を、デジタルカメラ１０から画像情報格納装置２０に送信するようにしてもよい。
【００９７】
また、上述した各実施形態におけるデジタルカメラ１０の機器制御部４８が実行するダイレクト印刷処理は、ハードウェア的に実現することもできるし、ソフトウェア的に実現することもできる。ダイレクト印刷処理をハードウェア的に実現する場合には、機器制御部４８をＡＳＩＣ（Application Specific IC）などで構成すればよい。ダイレクト印刷処理をソフトウェア的に実現する場合には、機器制御部４８を例えばＣＰＵとＲＯＭにより構成し、ダイレクト印刷処理を実現するためのプログラムをＲＯＭに格納しておき、このプログラムをＣＰＵが読み込んで実行することにより実現することができる。
【００９８】
同様に、上述した各実施形態における画像情報格納装置２０の機器制御部６４が実行する画像ファイル保存処理及び画像ファイル印刷処理は、ハードウェア的に実現することもできるし、ソフトウェア的に実現することもできる。画像ファイル保存処理及び画像ファイル印刷処理をハードウェア的に実現する場合には、機器制御部６４をＡＳＩＣ（Application Specific IC）などで構成すればよい。画像ファイル保存処理及び画像ファイル印刷処理をソフトウェア的に実現する場合には、機器制御部６４を例えばＣＰＵとＲＯＭにより構成し、画像ファイル保存処理及び画像ファイル印刷処理を実現するためのプログラムをＲＯＭに格納しておき、このプログラムをＣＰＵが読み込んで実行することにより実現することができる。
【００９９】
さらに、これらの処理をソフトウェア的に実現する場合については、これら各処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムをデジタルカメラ１０及び／又は画像情報格納装置２０に読み込ませ、実行させることにより、上述した実施形態を実現することができる。
【０１００】
また、デジタルカメラ１０及び／又は画像情報格納装置２０は、オペレーティングシステムや別のアプリケーションプログラム等の他のプログラムを備える場合がある。この場合、デジタルカメラ１０及び／又は画像情報格納装置２０の備える他のプログラムを活用するために、そのデジタルカメラ１０及び／又は画像情報格納装置２０が備えるプログラムの中から、上述した実施形態と同等の処理を実現するプログラムを呼び出すような命令を含むプログラムを、記録媒体に記録するようにしてもよい。
【０１０１】
さらに、このようなプログラムは、記録媒体の形ではなく、ネットワークを通じて搬送波として頒布することも可能である。ネットワーク上を搬送波の形で伝送されたプログラムは、デジタルカメラ１０及び／又は画像情報格納装置２０に取り込まれて、このプログラムを実行することにより上述した実施形態を実現することができる。
【０１０２】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだデジタルカメラ１０及び／又は画像情報格納装置２０は、そのプログラムの復号や伸張を行った上で、実行する必要がある。
【図面の簡単な説明】
【０１０３】
【図１】第１実施形態乃至第３実施形態に係る画像情報通信システムの構成を説明するブロック図。
【図２】第１実施形態乃至第３実施形態に係るデジタルカメラが実行するダイレクト印刷処理を説明するフローチャートを示す図。
【図３】デジタルカメラに表示されるプリンタ一覧画面の一例を示す図。
【図４】デジタルカメラに表示される画像選択画面の一例を示す図。
【図５】デジタルカメラに表示される画像選択画面の一例を示す図。
【図６】デジタルカメラに表示される画像選択画面の一例を示す図。
【図７】デジタルカメラに表示される画像選択画面の一例を示す図。
【図８】デジタルカメラに表示される印刷枚数設定画面の一例を示す図。
【図９】デジタルカメラに表示される印刷モード設定画面の一例を示す図。
【図１０】印刷指示ファイルの一例を示す図。
【図１１】第１実施形態に係る画像情報格納装置が実行する画像ファイル保存処理を説明するフローチャートを示す図。
【図１２】第１実施形態に係る画像情報格納装置におけるディレクトリ構成の一例を示す図。
【図１３】第１実施形態乃至第３実施形態に係る画像情報格納装置が実行する画像ファイル印刷処理を説明するフローチャートを示す図。
【図１４】画像情報格納装置とプリンタとの接続関係を説明するブロック図。
【図１５】第２実施形態に係る画像情報格納装置におけるディレクトリ構成の一例を示す図。
【図１６】第２実施形態に係る画像情報格納装置が実行する画像ファイル保存処理を説明するフローチャートを示す図。
【図１７】第３実施形態に係る画像情報格納装置におけるディレクトリ構成の一例を示す図。
【図１８】第３実施形態に係るデジタルカメラで表示される印刷モード設定画面の一例を示す図。
【図１９】第３実施形態に係る画像情報格納装置が実行する印刷ファイル保存処理を説明するフローチャートを示す図。
【符号の説明】
【０１０４】
１０  デジタルカメラ
２０  画像情報格納装置
３０  光学系
３２  光電変換部
３４  画像処理部
３６  画像記憶部
３８  画像記憶制御部
４０  ユーザインターフェース
４２  画像表示部
４４  通信制御部
４６  通信インターフェース
４８  機器制御部
５０  通信制御部
５２  通信インターフェース
５４  画像記憶部
５６  外部記憶装置
５８  外部記憶制御装置
６０  ユーザインターフェース
６２  画像表示部
６４  機器制御部
【図１】
2006217516.tif 000003
【図２】
2006217516.tif 000004
【図３】
2006217516.tif 000005
【図４】
2006217516.tif 000006
【図５】
2006217516.tif 000007
【図６】
2006217516.tif 000008
【図７】
2006217516.tif 000009
【図８】
2006217516.tif 000010
【図９】
2006217516.tif 000011
【図１０】
2006217516.tif 000012
【図１１】
2006217516.tif 000013
【図１２】
2006217516.tif 000014
【図１３】
2006217516.tif 000015
【図１４】
2006217516.tif 000016
【図１５】
2006217516.tif 000017
【図１６】
2006217516.tif 000018
【図１７】
2006217516.tif 000019
【図１８】
2006217516.tif 000020
【図１９】
2006217516.tif 000021